(57)【要約】【課題】上枠の変形に起因して防火性能が損なわれる事態を防止する。【解決手段】枠体１０の内周側と外周側とを仕切るように見込み方向に沿って配設した基枠壁部１１ａと、基枠壁部１１ａの内周側に位置する見込み面から内周側に向けて延在するガイドレール１１ｂ，１１ｃとを有した上枠１１を備え、ガイドレール１１ｂ，１１ｃに沿ってそれぞれ障子２０がスライド可能に配設された建具であって、基枠壁部１１ａには、外周側に位置する見込み面において室外側に位置するガイドレール１１ｃの延長上となる部位に外周側に向けて補強壁部１１ｋが設けられ、基枠壁部１１ａの外周側において補強壁部１１ｋよりも室内側となる部位に中空部１１ｍ１が設けられている。【選択図】図２
2018053583.tif 000002
【特許請求の範囲】
【請求項１】
枠体の内周側と外周側とを仕切るように見込み方向に沿って配設した基枠壁部と、基枠壁部の内周側に位置する見込み面から内周側に向けて延在する２本のガイドレールとを有した上枠を備え、前記２本のガイドレールに沿ってそれぞれ障子がスライド可能に配設された建具であって、
前記基枠壁部には、外周側に位置する見込み面において室外側に位置するガイドレールの延長上となる部位に外周側に向けて補強壁部が設けられ、
前記基枠壁部の外周側において前記補強壁部よりも室内側となる部位に中空部が設けられていることを特徴とする建具。
【請求項２】
前記基枠壁部には、内周側に位置する見込み面において前記室外側に位置するガイドレールよりもさらに室外側となる部位に網戸がスライド可能に配設される網戸レールが内周側に向けて設けられ、かつ外周側に位置する見込み面において前記網戸レールの延長上となる部位に外周側に向けて外方縦壁部が設けられ、
前記基枠壁部の外周側において前記補強壁部と前記外方縦壁部との間となる部位には副中空部が設けられていることを特徴とする請求項１に記載の建具。
【請求項３】
前記基枠壁部には、外周側の見込み面において前記２本のガイドレールの間となる部位に躯体取付用の取付ヒレ部が設けられているとともに、前記外方壁部から前記取付ヒレ部までの間を連結するように外周横壁部が設けられていることを特徴とする請求項２に記載の建具。
【請求項４】
上枠に設けた複数本のガイドレールに沿ってそれぞれ障子をスライド可能に配設した建具において、
前記上枠は、枠体の内周側と外周側とを仕切るように見込み方向に沿って配設した基枠壁部を有し、前記基枠壁部には、内周側の見込み面に前記複数本のガイドレールが設けられ、かつ外周側の見込み面から外周側に向けて躯体取付用の取付ヒレ部が設けられ、さらに前記取付ヒレ部よりも室外側に位置するガイドレールの延長上となる部位から外周側に向けて補強壁部が設けられており、
前記補強壁部から前記取付ヒレ部までの間には、前記基枠壁部との間に中空部を構成するように外周横壁部が設けられていることを特徴とする建具。
【請求項５】
少なくとも前記上枠の両端部には、前記中空部に熱膨張性部材が配設されていることを特徴とする請求項１または請求項４に記載の建具。
【発明の詳細な説明】
【技術分野】
【０００１】
本発明は、上枠に設けた複数本のガイドレールに沿ってそれぞれ障子がスライド可能に配設された建具に関するものである。
【背景技術】
【０００２】
引き違い窓等のように２枚の障子がそれぞれ左右方向に沿ってスライド可能に配設された建具では、防火性能を向上させるため、上枠に設けられた２本のガイドレールの間となる部位に熱膨張性部材を配設したものが提供されている（例えば、特許文献１参照）。
【先行技術文献】
【特許文献】
【０００３】
【特許文献１】特開２０１４−４３６９０号公報
【発明の概要】
【発明が解決しようとする課題】
【０００４】
上述した建具によれば、火災発生時に加熱されると、熱膨張性部材が膨張することによって２本のガイドレールの間に密度の高い不燃材が充填されることになり、断熱性が高められる等の理由により防火性能を向上させることが可能となる。しかしながら、建具が加熱された場合、障子には上下方向に沿った熱伸びが発生する。しかも、火災発生時においては、上枠が下枠よりも高温状態となる場合が多い。このため、建具の上枠には、外周側に押し開かれるような変形が生じるおそれがある。特に、上枠において躯体よりも室外側に突出した部分にあっては、変形を抑える部材が存在しないため、室外側で火災が発生した場合、上述の問題が顕著となる。こうした上枠の変形は、各部に隙間を生じる要因となり、防火性能の点で必ずしも好ましいとはいえない。
【０００５】
本発明は、上記実情に鑑みて、上枠の変形に起因して防火性能が損なわれる事態を防止することのできる建具を提供することを目的とする。
【課題を解決するための手段】
【０００６】
上記目的を達成するため、本発明に係る建具は、枠体の内周側と外周側とを仕切るように見込み方向に沿って配設した基枠壁部と、基枠壁部の内周側に位置する見込み面から内周側に向けて延在する２本のガイドレールとを有した上枠を備え、前記２本のガイドレールに沿ってそれぞれ障子がスライド可能に配設された建具であって、前記基枠壁部には、外周側に位置する見込み面において室外側に位置するガイドレールの延長上となる部位に外周側に向けて補強壁部が設けられ、前記基枠壁部の外周側において前記補強壁部よりも室内側となる部位に中空部が設けられていることを特徴とする。
【０００７】
この発明によれば、障子に熱伸びが発生したとしても、中空部及び室外側のガイドレールの延長上に位置する補強壁部の協働によってこれに抗することができ、外周側に押し開かれるような上枠の変形を抑えることが可能となる。従って、室外側で火災が発生したとしても、各部に隙間が生じる事態を防止し、防火性能を向上させることができる。
【０００８】
また本発明は、上述した建具において、前記基枠壁部には、内周側に位置する見込み面において前記室外側に位置するガイドレールよりもさらに室外側となる部位に網戸がスライド可能に配設される網戸レールが内周側に向けて設けられ、かつ外周側に位置する見込み面において前記網戸レールの延長上となる部位に外周側に向けて外方縦壁部が設けられ、前記基枠壁部の外周側において前記補強壁部と前記外方縦壁部との間となる部位には副中空部が設けられていることを特徴とする。
【０００９】
この発明によれば、室内側のガイドレールと網戸レールとの間の外周側となる部分が外周壁部、中空部及び副中空部によって覆われることになる。このため、室外側で火災が発生したとしても、補強壁部及び室外側に位置するガイドレールに対して熱の影響を低減することができ、これら補強壁部や室外側のガイドレールに熱による損傷を来すおそれがなくなるため、防火性能を向上させることが可能となる。
【００１０】
また本発明は、上述した建具において、前記基枠壁部には、外周側の見込み面において前記２本のガイドレールの間となる部位に躯体取付用の取付ヒレ部が設けられているとともに、前記外方壁部から前記取付ヒレ部までの間を連結するように外周横壁部が設けられていることを特徴とする。
【００１１】
この発明によれば、上枠において躯体から突出する部分に中空部及び副中空部が構成されるため、障子に熱伸びが発生したとしても、外周側に押し開かれるような上枠の変形をより確実に抑えることが可能となる。従って、室外側で火災が発生したとしても、各部に隙間が生じる事態を防止し、防火性能を向上させることができる。
【００１２】
また本発明に係る建具は、上枠に設けた複数本のガイドレールに沿ってそれぞれ障子をスライド可能に配設した建具において、前記上枠は、枠体の内周側と外周側とを仕切るように見込み方向に沿って配設した基枠壁部を有し、前記基枠壁部には、内周側の見込み面に前記複数本のガイドレールが設けられ、かつ外周側の見込み面から外周側に向けて躯体取付用の取付ヒレ部が設けられ、さらに前記取付ヒレ部よりも室外側に位置するガイドレールの延長上となる部位から外周側に向けて補強壁部が設けられており、前記補強壁部から前記取付ヒレ部までの間には、前記基枠壁部との間に中空部を構成するように外周横壁部が設けられていることを特徴とする。
【００１３】
この発明によれば、障子に熱伸びが発生したとしても、中空部及び室外側のガイドレールの延長上に位置する補強壁部の協働によってこれに抗することができ、外周側に押し開かれるような上枠の変形を抑えることが可能となる。従って、室外側で火災が発生したとしても、各部に隙間が生じる事態を防止し、防火性能を向上させることができる。
【００１４】
また本発明は、上述した建具において、少なくとも前記上枠の両端部には、前記中空部に熱膨張性部材が配設されていることを特徴とする。
【００１５】
この発明によれば、加熱された場合に熱膨張性部材が膨張し、縦枠との接合部分が膨張した熱膨張性部材によって塞がれるため、仮に上枠に変形を来したとしても火炎の貫通口が生じるおそれがなく、防火性能を向上させることができる。
【発明の効果】
【００１６】
本発明によれば、障子に熱伸びが発生したとしても、中空部及び室外側のガイドレールの延長上に位置する補強壁部の協働によってこれに抗することができ、外周側に押し開かれるような上枠の変形を抑えることが可能となる。従って、室外側で火災が発生したとしても、各部に隙間が生じる事態を防止し、防火性能を向上させることができる。
【図面の簡単な説明】
【００１７】
【図１】図１は、本発明の実施の形態である建具を室内側から見た図である。
【図２】図２は、図１に示した建具の縦断面図である。
【図３】図３は、図１に示した建具の上枠を示す拡大端面図である。
【発明を実施するための形態】
【００１８】
以下、添付図面を参照しながら本発明に係る建具の好適な実施の形態について詳細に説明する。
図１及び図２は、本発明の実施の形態である建具を示したものである。ここで例示する建具は、枠体１０に対して２枚の障子２０を左右方向に沿ったスライド可能に配設した引き違い窓と称されるものである。枠体１０は、上枠１１、下枠１２及び左右の縦枠１３を四周枠組みすることによって構成したものである。それぞれの枠１１，１２，１３は、アルミニウム合金等の金属によって成形した押し出し形材であり、長手方向の全長にわたってほぼ一様の断面形状を有している。２枚の障子２０は、それぞれ面材２１の四周に上框２２、下框２３及び左右の縦框２４を装着することによって構成したものである。図示の例では、アルミニウム合金等の金属によって成形した室外側框部２２ａ，２３ａと、樹脂によって成形した室内側框部２２ｂ，２３ｂとによって構成した複合タイプの框２２，２３を備える障子２０を適用している。
【００１９】
以下、本発明の特徴部分である上枠１１に主眼をおいて説明を行う。なお、以下の説明においては便宜上、見込み方向及び見付け方向等の用語を用いる。見込み方向とは、図２中の矢印Ａで示すように、建具の奥行きに沿った方向である。見込み方向に沿った面については、見込み面と称する場合がある。見付け方向とは、上枠１１や下枠１２等のように水平に沿った部材の場合、見込み方向に直交した上下に沿う方向であり、縦枠１３等のように上下に沿った部材の場合、見込み方向に直交した水平に沿う方向である。見付け方向に沿った平面については、見付け面と称する場合がある。また、本実施の形態において枠体１０の内周側とは、枠体１０によって囲まれる内部の空間側であり、上枠１１の場合は下方側で、下枠１２の場合は上方側となる。枠体１０の外周側とは、枠体１０の周囲となる空間側であり、上枠１１の場合は上方側となり、下枠１２の場合は下方側となる。
【００２０】
図２及び図３に示すように、枠体１０の上枠１１は、基枠壁部１１ａ、内レール（ガイドレール）１１ｂ、外レール（ガイドレール）１１ｃ、網戸レール１１ｄ、取付ヒレ部１１ｅ、内方支持ヒレ部１１ｆ及び突当ヒレ部１１ｇを有している。
【００２１】
基枠壁部１１ａは、枠体１０の内周側と外周側とを仕切るように配置される部分、すなわち、見込み方向に沿ってほぼ水平に配置される部分であり、単一の薄板状に構成してある。内レール１１ｂ及び外レール１１ｃは、それぞれが障子２０を左右へスライド可能に案内する薄板状部分である。これら内レール１１ｂ及び外レール１１ｃは、基枠壁部１１ａの内周側となる見込み面１１ａ１において互いに間隔を確保した位置からそれぞれ内周側に向けて互いにほぼ平行となるように延在している。より具体的に説明すると、内レール１１ｂは、基枠壁部１１ａの室内側となる端縁部に設けてある。外レール１１ｃは、内レール１１ｂよりも室外側であって、基枠壁部１１ａの室外側となる端縁部よりも室内側となる部分に設けてある。内レール１１ｂ及び外レール１１ｃの基枠壁部１１ａからの突出寸法は、互いにほぼ同じであり、相互間隔のほぼ２／３に設定してある。網戸レール１１ｄは、網戸３０を左右へスライド可能に案内する薄板状部分であり、基枠壁部１１ａにおいて最も室外側となる端縁部から内周側に向けて外レール１１ｃとほぼ平行となるように延在している。網戸レール１１ｄの基枠壁部１１ａからの突出寸法は、外レール１１ｃよりもわずかに小さく設定してある。取付ヒレ部１１ｅは、躯体Ｂの外表面に連結される薄板状部分であり、基枠壁部１１ａの外周側となる見込み面１１ａ２において内レール１１ｂよりもわずかに室外側となる位置から内レール１１ｂとほぼ平行となるように外周側に向けて延在している。取付ヒレ部１１ｅの基枠壁部１１ａからの突出寸法は、内レール１１ｂよりも大きく設定してある。内方支持ヒレ部１１ｆは、内レール１１ｂの上端縁において室内に臨む見付け面から室内側に向けてほぼ水平に延在した薄板状部分である。内方支持ヒレ部１１ｆの内レール１１ｂからの突出寸法は、内レール１１ｂの基枠壁部１１ａからの突出寸法とほぼ等しい。突当ヒレ部１１ｇは、内方支持ヒレ部１１ｆの延在端縁部から内レール１１ｂとほぼ平行となるように上下に向けて延在した薄板状部分である。突当ヒレ部１１ｇの基枠壁部１１ａからの外周側への突出寸法は、網戸レール１１ｄよりも小さく、内周側への突出寸法は、外周側への突出寸法よりもさらに小さく設定してある。
【００２２】
また、枠体１０の上枠１１には、基枠壁部１１ａの外周側となる部分において取付ヒレ部１１ｅよりも室外側となる部位に外方縦壁部１１ｈ、外周横壁部１１ｊ、補強壁部１１ｋが設けてある。
【００２３】
外方縦壁部１１ｈは、基枠壁部１１ａの室外側に位置する端縁部、つまり網戸レール１１ｄの延長上となる部位から外周側に向けて突出した薄板状部分である。外周横壁部１１ｊは、外方縦壁部１１ｈの上端縁部から基枠壁部１１ａに沿うように室内側に向けて延在した薄板状部分である。外周横壁部１１ｊの延在端縁部は、取付ヒレ部１１ｅに接続してある。すなわち、上枠１１には、外方縦壁部１１ｈ、外周横壁部１１ｊ及び取付ヒレ部１１ｅによって基枠壁部１１ａとの間に、基枠壁部１１ａの外周側に突出するように中空部１１ｍ１及び副中空部１１ｍ２が構成してある。補強壁部１１ｋは、中空部１１ｍ１及び副中空部１１ｍ２の間を仕切るように基枠壁部１１ａと外周横壁部１１ｊとの間を連結するように上下に沿って延在した薄板状部分であり、外レール１１ｃの延長上となる部位に設けてある。基枠壁部１１ａ及び外周横壁部１１ｊの間に構成された中空部１１ｍ１及び副中空部１１ｍ２は、補強壁部１１ｋを介して互いに並設されている。
【００２４】
さらに、枠体１０の上枠１１には、係合突条１１ｎ、ビスホール１１ｐ及び熱膨張性部材４０が設けてある。係合突条１１ｎは、後述する付属部品を基枠壁部１１ａに保持させるための突出部である。本実施の形態では、突当ヒレ部１１ｇと内レール１１ｂとの互いに対向する見付け面にそれぞれ対となる係合突条１１ｎが設けてあるとともに、内レール１１ｂと外レール１１ｃとの互いに対向する見付け面にそれぞれ対となる係合突条１１ｎが設けてある。対となる係合突条１１ｎは、互いに対向する部位から相互に近接するように突出している。ビスホール１１ｐは、縦枠１３との間を連結する連結ネジ（図示せず）が螺合される部分である。上枠１１のビスホール１１ｐは、基枠壁部１１ａの内周側となる見込み面１１ａ１と外レール１１ｃの室外に臨む見付け面との入隅部、及び内方支持ヒレ部１１ｆの外周側となる見込み面１１ｆ１において突当ヒレ部１１ｇと取付ヒレ部１１ｅとの間となる部位にそれぞれ設けてある。熱膨張性部材４０は、加熱により膨張する不燃性または難燃性の部材であり、例えば熱膨張性の黒鉛を含有した発泡材を適用することができる。この熱膨張性部材４０は、補強壁部１１ｋよりも室内側の中空部１１ｍ１において外周横壁部１１ｊの内周側となる見込み面１１ｊ１に貼り付けてある。図１に示すように、熱膨張性部材４０を貼り付ける場所は、上枠１１の両端部である。
【００２５】
上記のように構成した上枠１１は、下枠１２及び左右の縦枠１３とともに四周枠組みするとともに、それぞれの枠１１，１２，１３の適宜箇所に樹脂によって成形した付属部品を装着することによって枠体１０を構成する。例えば、図２に示す建具では、上枠１１において内レール１１ｂと突当ヒレ部１１ｇとの間に付属部品として上部カバー部材５０が装着してある。上部カバー部材５０は、レールカバー部５０ａ、基枠カバー部５０ｂ及び額縁カバー部５０ｃを一体に成形したものである。レールカバー部５０ａは、内レール１１ｂの室内に臨む見付け面を覆うものである。基枠カバー部５０ｂは、基枠壁部１１ａの内周側となる見込み面１１ａ１において内レール１１ｂと突当ヒレ部１１ｇとの間となる部位を覆うものである。額縁カバー部５０ｃは、基枠カバー部５０ｂの室内側に位置する縁部から突当ヒレ部１１ｇに沿って内周側に延在した後、室内側に向けてほぼ直角に延在するものである。この上部カバー部材５０は、内レール１１ｂ及び突当ヒレ部１１ｇに設けた係合突条１１ｎによって係合され、さらに図示せぬネジを螺合することによって上枠１１に保持された状態に維持されている。
【００２６】
上記のように構成した建具では、枠体１０を構成する上枠１１の基枠壁部１１ａが中空部１１ｍ１及び副中空部１１ｍ２を有した構成であるため、上枠１１の室外側部分と室内側部分との間に断熱空間が確保されることになり、防火性能の点で有利となる。すなわち、例えば、室外側から加熱された場合にも、上枠１１の断熱空間によって基枠壁部１１ａや補強壁部１１ｋ、外レール１１ｃが高温状態となる事態を抑えることができる。従って、上述の建具によれば、火災が発生した場合にも、基枠壁部１１ａや補強壁部１１ｋ、外レール１１ｃに変形を来すおそれがなく、室外と室内との間に火炎の貫通口が生じる事態を防止することが可能となる。これにより、建具の防火性能を向上させることができる。
【００２７】
しかも、この建具の上枠１１には、基枠壁部１１ａと外周横壁部１１ｊとの間において外レール１１ｃの延長上となる位置にこれら基枠壁部１１ａ及び外周横壁部１１ｊの間を連結するように補強壁部１１ｋが設けてある。このため、加熱によって障子２０が上方向に熱伸びしたとしても、中空部１１ｍ１、副中空部１１ｍ２及び補強壁部１１ｋの協働によってこれに対抗することができ、外周側に押し開かれるように上枠１１が変形する事態を防止することができる。
【００２８】
なお、上述した実施の形態では、上枠１１の中空部１１ｍ１に熱膨張性部材４０を配設しているため、火災発生時に仮に上枠１１に変形を来したとしても、膨張する熱膨張性部材４０によって縦枠１３との隙間が確実に塞がれることになり、火炎の貫通口が生じるおそれがない。しかしながら、本発明では必ずしも上枠１１の中空部１１ｍ１に熱膨張性部材４０を配設する必要はない。また、２本のガイドレール１１ｂ，１１ｃを備えた引き違い窓を例示しているが、ガイドレールを３本以上備えた建具にも適用することが可能である。この場合、取付ヒレ部と室外側に配置されるガイドレールとの間に中空部が設けてあれば良い。なお、網戸レール１１ｄは必ずしも必要ではない。さらに、補強壁部１１ｋから網戸レール１１ｄまでの間に副中空部１１ｍ２を構成しているが、本発明はこれに限定されず、少なくとも補強壁部１１ｋよりも室内側となる部位に中空部１１ｍ１が設けてあれば良い。
【符号の説明】
【００２９】
１０  枠体、１１  上枠、１１ａ  基枠壁部、１１ａ１  内周側の見込み面、１１ａ２  外周側の見込み面、１１ｂ  内レール、１１ｃ  外レール、１１ｄ  網戸レール、１１ｅ  取付ヒレ部、１１ｈ  外方縦壁部、１１ｊ  外周横壁部、１１ｋ  補強壁部、１１ｍ１  中空部、１１ｍ２  副中空部、２０  障子、３０  網戸、４０  熱膨張性部材
【図１】
2018053583.tif 000003
【図２】
2018053583.tif 000004
【図３】
2018053583.tif 000005